(57)【要約】【課題】  情報媒体中の各磁性素子の情報を順次検知することにより、確実かつ容易に多ビット情報を検知することができる磁性素子を有する情報媒体および情報検知装置を提供する。【解決手段】  情報媒体１は、１つ以上の磁性素子と前記磁性素子を所定方向に間隔をもって配置した基材とを有する磁性部材２と、磁性部材２を配置する本体部材３とを備える。情報媒体１は、磁性部材２に形成された１つ以上の磁性素子が順次励磁コイル５および検知コイル６の中を通過するように移動にされる。これにより、磁性部材２の磁性素子は、励磁コイル５により励磁され、この励磁された磁性素子の磁化反転時の出力を検知コイル６により読み取る。【選択図】      図１
2006091988.tif 000002
【特許請求の範囲】
【請求項１】
１つ以上の磁性素子と前記磁性素子を所定方向に間隔をもって配置した基材とを有する磁性部材と、前記磁性部材を配置する本体部材とを備えたことを特徴とする情報媒体。
【請求項２】
前記１つ以上の磁性素子が第１の保磁力を有する１つ以上の第１の磁性素子と、前記第１の保磁力より大きな第２の保磁力を有する１つ以上の第２の磁性素子からなることを特徴とする請求項１記載の情報媒体。
【請求項３】
前記第１の磁性素子と、前記第２の磁性素子が前記基材のほぼ同じ位置にそれぞれ配置されることを特徴とする請求項２記載の情報媒体。
【請求項４】
前記1つ以上の磁性素子が、前記基材に形成された磁性素子用の磁性ワイヤーの一部を取り除いて作製されたものであることを特徴とする請求項１記載の情報媒体。
【請求項５】
前記1つ以上の磁性素子が、前記基材に形成された磁性素子用の磁性ワイヤーの一部を対応する前記基材部分を含めて取り除いて作製されたものであることを特徴とする請求項１記載の情報媒体。
【請求項６】
前記1つ以上の第１の磁性素子が、前記基材上の1つ以上の第２の磁性素子上に形成された前記第１の磁性素子用の磁性ワイヤーの一部を取り除いて作製されたものであることを特徴とする請求項２記載の情報媒体。
【請求項７】
前記１つ以上の第１の磁性素子が、前記基材上の1つ以上の第２の磁性素子上に形成された前記第１の磁性素子用の磁性ワイヤーの一部を対応する基材部分を含めて取り除いて作製されたものであることを特徴とする請求項２記載の情報媒体。
【請求項８】
前記本体部材が紙であることを特徴とする請求項１〜７のいずれかに記載の情報媒体。
【請求項９】
前記磁性部材が前記紙に漉き込まれていることを特徴とする請求項８記載の情報媒体。
【請求項１０】
前記本体部材がプラスチックのシートまたはラベルであることを特徴とする請求項１〜７のいずれかに記載の情報媒体。
【請求項１１】
請求項１に記載の情報媒体に対して相対的に移動して前記情報媒体に配置された１つ以上の磁性素子を順次励磁する励磁コイルおよび前記励磁により発生した信号を検出する検知コイルとを備えたことを特徴とする情報検知装置。
【請求項１２】
請求項２に記載の情報媒体に配置された1つ以上の第２の磁性素子を任意に磁化または消磁する情報書換手段と、前記情報媒体に対して相対的に移動して前記情報媒体に配置された1つ以上の第１の磁性素子を順次励磁する励磁コイルおよび前記励磁により発生した信号を検出する検知コイルとを備えたことを特徴とする情報検知装置。
【請求項１３】
請求項２に記載の情報媒体に配置された1つ以上の第２の磁性素子を任意に磁化または消磁する情報書換装置と、前記情報媒体に対して相対的に移動して前記情報媒体に配置された1つ以上の第１の磁性素子を順次励磁する励磁コイルおよび前記励磁により発生した信号を検出する検知コイルとを有する情報検知装置とを備えたことを特徴とする情報書換検知装置。
【請求項１４】
原稿読取り機および露光器を備えて請求項２に記載の情報媒体に画像を形成する画像形成装置であって、前記情報媒体に配置された1つ以上の第２の磁性素子を任意に磁化または消磁する情報書換装置と、前記情報媒体に対して相対的に移動して前記情報媒体に配置された1つ以上の第１の磁性素子を順次励磁する励磁コイルおよび前記励磁により発生した信号を検出する検知コイルとを有する情報検知装置とを備えたことを特徴とする画像形成装置。
【発明の詳細な説明】
【技術分野】
【０００１】
本発明は磁性素子を有する情報媒体および情報検知装置に係り、特に１つ以上の磁性素子が所定方向に間隔をもって配置された情報媒体および情報検知装置に関する。
【背景技術】
【０００２】
従来から、有価証券等の不正複写による偽造防止などのセキュリティ上の問題を解決するため各種の方法や装置が提案されている。例えば、特定のパターンや赤外線吸収剤を含有する特殊インク等が潜像された特殊用紙を用いて有価証券等を作成して有価証券等の偽造防止を図る方法がある。この方法は、特殊用紙で作成された有価証券等がスキャナや複写機等により複写された場合、特殊用紙に潜像された特定のパターン、特殊インク等が目視可能な状態で印刷され、複写物であることが示されるように構成されている。しかし、このような方法は、特殊用紙に潜像された特定のパターンや特殊インク等を検出するために特殊用紙に作成された有価証券等の画像をスキャンもしくは所定方向から光を照射する等の動作が必要である。
【０００３】
また、物品に内蔵された磁気素子の磁化反転磁界の強度を測定することにより物品を識別する方法が提案されている。これは、模倣することが困難な信号を発する磁気素子をＩＣカードなどの小型携帯端末に組み込み、それを使用する際に交番磁界を印加することで問い合わせをし、小型携帯端末に組み込まれた磁気素子が急峻な磁化反転により発した固有の信号を検知することで、小型携帯端末を同定してセキュリティを確保するものである。例えば、特許文献１には、磁気を用いて非接触で識別することができる非接触型ＩＣカード等の識別機能を有する物品およびその識別方法が開示されている。また、特許文献２には、物品に取り付けてその物品の種類や数量を識別する磁気マーカーを励磁する方法とその装置が開示されている。
【特許文献１】特開平１１−３０６２７５号公報
【特許文献２】特開平５−１２６９６３号公報
【発明の開示】
【発明が解決しようとする課題】
【０００４】
従来の技術では、複数の磁性素子を配置した情報媒体を励磁検知コイルの磁界発生領域に置き、各磁性素子の配置方向や保磁力等による磁化反転パルス特性（幅、発生間隔）の違いに基づいて多ビット検知を行っている。この方法では、磁性素子が付加された情報媒体を検知装置内に配置し、同時に各磁性素子の磁化反転パルス特性の違いを検知するので、ノイズや情報媒体の歪み等の特性劣化により正しく検知できない場合がある。そのため多ビット情報を正確に検知する方法が望まれている。
【０００５】
従って本発明の目的は、情報媒体中の各磁性素子の情報を順次検知することにより、確実かつ容易に多ビット情報を検知することができる磁性素子を有する情報媒体および情報検知装置を提供することにある。
【課題を解決するための手段】
【０００６】
上記目的は、１つ以上の磁性素子と前記磁性素子を所定方向に間隔をもって配置した基材とを有する磁性部材と、前記磁性部材を配置する本体部材とを備えた情報媒体により、達成される。ここで、前記１つ以上の磁性素子を第１の保磁力を有する１つ以上の第１の磁性素子と、前記第１の保磁力より大きな第２の保磁力を有する１つ以上の第２の磁性素子から構成することができる。この場合、前記第１の磁性素子と前記第２の磁性素子は前記基材のほぼ同じ位置にそれぞれ配置することができる。
【０００７】
前記１つ以上の磁性素子は、前記基材に形成された磁性素子用の磁性ワイヤーの一部を取り除いて作製されたもの、または前記基材に形成された磁性素子用の磁性ワイヤーの一部を対応する前記基材部分を含めて取り除いて作製されたものとすることができる。また、前記１つ以上の第１の磁性素子は、前記基材上の１つ以上の第２の磁性素子上に形成された前記第１の磁性素子用の磁性ワイヤーの一部を取り除いて作製されたもの、または前記基材上の１つ以上の第２の磁性素子上に形成された前記第１の磁性素子用の磁性ワイヤーの一部を対応する基材部分を含めて取り除いて作製されたものとすることができる。
【０００８】
前記本体部材は紙とすることができる。この場合、前記磁性部材は前記紙に漉き込むことができる。また、前記本体部材は、プラスチックのシートまたはラベルとすることができる。
【０００９】
本発明に係る情報検知装置は、前記情報媒体に対して相対的に移動して前記情報媒体に配置された１つ以上の磁性素子を順次励磁する励磁コイルおよび前記励磁により発生した信号を検出する検知コイルとを備えるものである。ここで相対的に移動であるから前記情報媒体および前記コイルの少なくとも一方が移動すれば足りる。以下同様である。また、本発明に係る情報検知装置は、前記情報媒体に配置された１つ以上の第２の磁性素子を任意に磁化または消磁する情報書換手段と、前記情報媒体に対して相対的に移動して前記情報媒体に配置された１つ以上の第１の磁性素子を順次励磁する励磁コイルおよび前記励磁により発生した信号を検出する検知コイルとを備えるものである。さらに、本発明に係る情報書換検知装置は、前記情報媒体に配置された１つ以上の第２の磁性素子を任意に磁化または消磁する情報書換装置と、前記情報媒体に対して相対的に移動して前記情報媒体に配置された１つ以上の第１の磁性素子を順次励磁する励磁コイルおよび前記励磁により発生した信号を検出する検知コイルとを有する情報検知装置とを備えるものである。
【００１０】
本発明に係る画像形成装置は、原稿読取り機および露光器を備えて前記情報媒体に画像を形成するものであって、前記情報媒体に配置された１つ以上の第２の磁性素子を任意に磁化または消磁する情報書換装置と、前記情報媒体に対して相対的に移動して前記情報媒体に配置された１つ以上の第１の磁性素子を順次励磁する励磁コイルおよび前記励磁により発生した信号を検出する検知コイルとを有する情報検知装置とを備えるものである。
【発明の効果】
【００１１】
本発明によれば、情報媒体中の各磁性素子の情報を順次検知することにより、確実かつ容易に多ビット情報を検知することができる磁性素子を有する情報媒体および情報検知装置を得ることができる。本発明では、例えばＰＥＴフィルム等の薄板状の基材を用い、この基材に磁性素子を配置した磁性部材（スレッド）を用紙等の情報媒体に付与する（例えば漉き込む）。これにより情報媒体中に１つ又は複数の磁性素子を容易に、精度良く配置することが可能となり、ビット情報又は多ビット情報が形成された情報媒体を安価かつ容易に実現することができる。更に、２種類の磁性素子を形成したスレッドを情報媒体に付与することで、書き換え可能で印刷（プリント）または複写に用いることができる情報媒体を容易に実現することができる。
【発明を実施するための最良の形態】
【００１２】
図１は、本発明に係る情報媒体およびその情報を検知する情報検知装置の一例を示す概略構成図である。図示のように、情報媒体１は、１つ又は複数の磁性素子と前記磁性素子を所定方向に間隔をもって配置した基材とを有する磁性部材２と、磁性部材２を配置する本体部材３とを備える。磁性部材２は本例ではスレッド状に形成されているがこれに限定されない。また、本体部材３は例えば紙とすることができるがこれに限定されず、プラスチックのシートやラベルなどのようなものであってもよい。本体部材３が紙の場合、磁性部材２は紙に漉き込むことができる。情報検知装置４は、励磁コイル５と検知コイル６とを備える。励磁コイル５には、パソコン（ＰＣ）等の情報処理装置１１からの信号に基づいて励磁回路１２により電流が付与される。また、検知コイル６からの出力は検知回路１３により検出され、情報処理装置１１に伝達される。
【００１３】
情報の検知は次のようにして行われる。まず、情報媒体１は、磁性部材２に形成された１つ以上の磁性素子が順次励磁コイル５および検知コイル６の中を通過するように、図の矢印方向に移動にされる。これにより、磁性部材２の磁性素子は、励磁コイル５により励磁され、この励磁された磁性素子の磁化反転時の出力（例えば大バルクハウゼン効果によるパルス出力）を検知コイルにより読み取る。
【００１４】
検知動作時、情報処理装置１１は、励磁回路１２と検知回路１３とのタイミング制御を行う。例えば、励磁回路１２が周波数１ｋＨｚの電流を励磁コイル５に流す制御を行うことにより、周波数１ｋＨｚの交番磁界が励磁コイル５の形状に対応した所定の空間に発生する。情報処理装置１１は、励磁回路１２で生成された周波数１ｋＨｚの電流の立ち上がり方向で電流値が０になる時間、すなわち電流の向きが負から正へ逆転する時の時間を検出し、この検出した時間に交番磁界の一周期に一回のタイミングで検知回路１３へ基準信号を出力する。検知回路１３は、この基準信号のタイミングに基づき検知コイル６で検出された検出信号を入力する。検出信号は図示しない記憶装置に格納することができる。情報処理装置１１は、検出信号から交番磁界成分を除去し、除去後の信号のうちの正の信号成分を増幅し、ノイズ成分を除去して各磁性素子の磁化反転時の磁気パルスに対応したパルス信号を検出する。検出されたパルス信号は、「１」または「０」の値で表現された多ビット情報に変換される。
【００１５】
このように、情報媒体１が励磁コイル５および検知コイル６の中を順次移動することで、磁性部材２に形成された１つ以上の磁性素子から出力が順次検知される。各磁性素子を１ビットに対応させることにより情報媒体１から容易かつ確実に多ビット情報の読取りを実現することができる。
本発明によれば、１つ又は複数の磁性素子を基材に形成した磁性部材を紙等からなる情報媒体に付加（漉き込み等）することで、情報媒体にビット情報特に多ビット情報を容易かつ確実に形成可能とすることができる。このようにして構成した情報媒体は例えばセキュリティ用紙として不正複写による偽造防止とに役立たせることができる。この情報媒体の構造等について以下詳述する。
【００１６】
図２は本発明に係る情報媒体の一実施例を示す図で、（ａ）は情報媒体の平面図、（ｂ）は（ａ）の一部拡大図である。本実施例では、情報媒体２０は、１つ以上の磁性素子２１と磁性素子２１を所定方向に間隔をもって配置した基材２２とを有する磁性部材２３と、磁性部材２３を配置する本体部材としての用紙２４とを備える。磁性部材２３はスレッド状に形成されているので、以下スレッド２３という。スレッド２３は、図２（ｂ）に示すように、基材２２上に１つ以上の磁性素子２１が所定方向に間隔Ｄをもって配置されている。基材２２としては、例えば１〜１０μｍ厚程度のＰＥＴフィルムを用いることができる。この基材２２に、例えばＦｅ−Ｃｏ系のアモルファス材からなるワイヤー状の軟磁性材料の磁性素子２１を間隔Ｄで配置する。磁性素子２１は、例えば、径が２０μｍ、長さが１０〜３０ｍｍ程度、保磁力が１０Ｏｅ未満、配置間隔Ｄが例えば１０〜３０ｍｍ程度である。このように構成したスレッド２３を、例えば用紙２２の作製時に用紙中に漉き込むことによりセキュリティ用紙を作製する。これにより用紙中に１つ又は複数の磁性素子を容易かつ精度良く配置することが可能となり、多ビット情報が形成された用紙を安価に容易に実現することができる。
【００１７】
図３は、本発明に係る情報媒体の他の実施例を示す図で、（ａ）は情報媒体の平面図、（ｂ）は（ａ）の一部拡大図である。本実施例が図２の実施例と異なる点は、保磁力の異なる２種類の１つ以上の磁性素子を備える点である。すなわち、本実施例では、情報媒体３０は、２種類の１つ以上の磁性素子３１ａ，３１ｂと磁性素子３１ａ，３１ｂを所定方向に間隔をもって配置した基材３２とを有する磁性部材３３と、磁性部材３３を配置する本体部材としての用紙３４とを備える。磁性素子３１ａは被検出素子であり例えばＦｅ−Ｃｏ系のアモルファス材を、また磁性素子３１ｂはバイアス磁界の付与素子であり例えばフェライト系、酸化鉄等を用いることができる。磁性部材３３はスレッド状に形成されているので、以下スレッド３３という。スレッド３３は、図３（ｂ）に示すように、基材３２上に１つ以上の磁性素子３１ａ，３１ｂが所定方向に間隔Ｄをもって配置されている。２種類の磁性素子３１ａ，３１ｂは互いに保磁力が異なり、例えば磁性素子３１ａの保磁力は１０Ｏｅ未満（例えば１〜２Ｏｅ）、磁性素子３１ｂの保磁力は磁性素子３１ａのそれより大きく１０Ｏｅ以上である。磁性素子３１ａ，３１ｂは、基材３２中のほぼ同じ位置に配置され、配置間隔はＤ（１０〜３０ｍｍ程度）とされる。この２種類の磁性素子３１ａ，３１ｂと基材３２からなるスレッド３３を、用紙３４の作製時に用紙中に配置（例えば、漉き込み）することで、書き換え可能なセキュリティ用紙を容易に実現することができる。
【００１８】
図４（ａ）〜（ｅ）は、図３に示す実施例に係る情報媒体の情報書き換え方法の一例を示す図である。本例では、情報書換装置４０が設けられる。情報書換装置４０は情報検知装置から独立して設けることもできるし、情報検知装置内に設けることもできる。情報書換装置４０は電磁石（磁気ヘッド）４１を有する。磁気ヘッド４１は励磁回路４３に接続される。励磁回路４３は情報処理装置４２からの信号に基づいて磁気ヘッド４１に電流を付与する。磁気ヘッド４１への電流付与のタイミングは、情報媒体（用紙）の移動速度、用紙に付加された各磁性素子の間隔等に応じて、情報処理装置４２により制御される。
【００１９】
情報を記録するときは、図４（ａ）に示すように、磁気ヘッド４１を用紙３４中のスレッド３３部分に配置し、スレッド３３がこの磁気ヘッド４１の近傍を通過するように用紙３４あるいは磁気ヘッド４１を移動する。ここでは、磁性素子３１ａ，３１ｂが磁気ヘッド４１を通過するときに、磁気ヘッド４１から直流磁場を与え磁性素子３１ｂを磁化する場合と、磁気ヘッドから交流磁場を与え磁性素子３１ｂの磁化を消磁する場合の２通りを選択し、情報の記録を行う。
【００２０】
このようにして情報が記録されたスレッド３３の検知出力について、図４（ｂ）〜（ｅ）で説明する。図４（ｂ）は、磁気ヘッド４１で交流磁場を与え、磁性素子３１ｂを消磁した例を示す。この場合、スレッド３３を励磁検知コイル（励磁コイルおよび検知コイル）４４の近傍を通過させることにより、全ての磁性素子３１ａから、パルス出力を検知することができる。このバイアス磁界０（未磁化）の検知信号４５は図４（ｃ）に示すようになる。また図４（ｄ）は、磁気ヘッド４１により、磁性素子３１ｂを直流磁場を与え磁化した場合（３１ｂ−１）と、交流磁場を与え消磁した場合（３１ｂ−２）が混在している例を示す。磁化された磁性素子３１ｂ−１と同じ位置に配置された磁性素子３１ａは、磁性素子３１ｂの保磁力（１０Ｏｅ以上）により、常に一定の磁場が磁性素子３１ａにかかり、励磁検知コイル４４を通過時でも、磁性素子３１ａによる出力を検知することができない。一方消磁された磁性素子３１ｂ−２と同じ位置に配置された磁性素子３１ａは、励磁検知コイル４４を通過時に、磁界変化により出力を検知することができる。この一部バイアス磁界が動作しているときの検知信号４５は図４（ｅ）に示すようになる。このように、記録すべき情報に応じて、磁気ヘッドにより磁性素子３１ｂを磁化あるいは消磁することにより、自由に情報の書き換えが可能となる。
【００２１】
図５（ａ）〜（ｄ）は、磁性部材（スレッド）の作製方法の一例を示す図である。図２の実施例のスレッド２３は例えば次のようにして作製される。図５（ａ）に示すように、基材２２に、１本の磁性素子２１用の磁性ワイヤー５１を形成する。その後、磁性ワイヤー５１の一部５３を取り除き１つ以上の磁性素子２１を作製する。または、図５（ｂ）に示すように、基材２２に、１本の磁性素子２１用の磁性ワイヤー５１を形成する。その後、磁性ワイヤー５１の一部５３を対応する基材部分（図中の破線部分）を含めて取り除き、１つ以上の磁性素子２１を作製する。これによりスレッド２３を作製することができる。
【００２２】
また、図３の実施例のスレッド３３は例えば次のようにして作製される。図５（ｃ）に示すように、蒸着、スパッタあるいは貼り付け等により１つ以上の磁性素子３１ｂが形成された基材３２に、１本の磁性素子３１ａ用の磁性ワイヤー５２を形成する。その後、磁性ワイヤー５２の一部５３を取り除き１つ以上の磁性素子３１ａを作製する。または、図５（ｄ）に示すように、上記と同様にして１つ以上の磁性素子３１ｂが形成された基材３２に、１本の磁性素子３１ａ用の磁性ワイヤー５２を形成する。その後、磁性ワイヤー５２の一部５３を対応する基材部分（図中の破線部分）を含めて取り除き、１つ以上の磁性素子３１ａを作製する。これによりスレッド３３を作製することができる。
【００２３】
これ以外でも、例えば、基材３２にあらかじめ磁性素子３１ｂを蒸着、スパッタあるいは貼り付けにより、ある間隔で形成し、この磁性素子３１ｂが形成された領域に磁性素子３１ａを順次配置（接着等による貼りつけ）することで用紙に漉き込むべきスレッドを形成することができる。あるいは、磁性素子３１ｂを形成した基材３２と、磁性素子３１ａを形成した基材３２を張り合わせることでも書き換え可能なスレッドを容易に確実に形成することができる。
【００２４】
図６は、本発明に係る情報検知装置を組み込んだ画像形成装置（複写機）の一例を示す図である。本例では、磁気ヘッドによる情報書き換えは本発明に係る情報媒体（以下、専用紙という）が給紙トレイから排出された直後に行われ、情報検知は用紙排出トレイ出口近傍で行われる。
【００２５】
図６に示すように、複写機６０は、プラテンガラス上にプラテンカバーで押えられた原稿６３をスキャンして原稿６３から画情報を読み取り、画像処理して印刷出力用の出力画像データを出力する原稿読取り機６４と、給紙トレイ６５から給紙された専用紙６６上に原稿読取り機６４から出力された出力画像データに対応した画情報を印刷する画像形成部６７（図中の一点鎖線で囲まれた部分）と、画情報が印刷された専用紙６６から専用紙固有の情報を検出する情報検知装置６８とを備える。原稿読取り機６４は例えば情報処理装置を備え、画像形成部６７および情報検知装置６８に接続されており、複写機６０全体を統括制御する。
【００２６】
画像形成部６７は、原稿読取り機６４から入力された出力画像データに応じてレーザ光を感光ドラム６９へ出射し、感光ドラム６９の走査露光制御を行う露光装置７０と、露光装置７０の走査露光制御により感光ドラム６９表面上に形成された潜像を各色のトナーで現像してトナー画像を形成する現像器７１と、現像器７１により感光ドラム６９上に形成されたトナー画像を転写する転写ドラム７２と、転写ドラム７２上に形成されたトナー画像を給紙トレイ６５から給紙された専用紙６６上に定着させる定着器７３とを備える。
【００２７】
給紙トレイ６５に蓄積収納されている専用紙６６には、専用紙６６に特有の情報が付与されており、この専用紙６６の情報と専用紙６６に印刷された画情報とを対応付けて文書管理する。専用紙６６の情報は、予め情報に対応付けされた少なくとも一種類以上の１つ以上の磁性素子が専用紙６６に形成付与されて表現されており、画情報が印刷された専用紙６６が排出トレイ７４に排出される途上で情報検知装置６８により検知される。具体的には、排出トレイ７４と画像形成部６７との間に配置された励磁コイル７５および検知コイル７６内を専用紙６６が移動することで、専用紙６６に配置された１つ以上の磁性素子が励磁コイル７５により順次励磁され、この励磁により１つ以上の磁性素子から順次発生される信号が検知コイル７６により検出され、検出結果に基づき情報検知装置６８が専用紙６６に付与された１つ又は複数の磁性素子に対応付けられた情報を検知するように構成されている。
【００２８】
さらに、給紙トレイ６５の直後に、磁気ヘッド７７を配置し、給紙時に磁気ヘッド７７により専用紙６６の情報を書き換えることができる。磁気ヘッド７７は、情報書換装置７８に接続されている。情報書換装置７８は原稿読取り機６４により制御されることができ、、また情報検知装置６８に組み込むこともできる。
【００２９】
このように構成された複写機６０が原稿６３の画情報を複写印刷し、画情報と画情報が印刷された専用紙６６とを対応付けて文書管理するまでの処理動作について以下簡単に説明する。まず、ユーザが複写機６０のプラテンカバーを開き、複写したい原稿６３をプラテンガラス上に配置後、プラテンカバーを閉じ、図示しない複写開始ボタンを押下すると、原稿読取り機６４がプラテンガラス上の原稿６３をスキャンして原稿６３から画情報を読み取る。原稿６３から読み取られた画情報は、画像処理されて画像形成部６７の露光装置７０へ出力される。露光装置７０は、原稿読取り機６４で画像処理されて出力された出力画像データに基づきレーザ光を感光ドラム６９上に出射して走査露光する。
【００３０】
感光ドラム６９は、図示しない駆動手段により図中の矢印方向に沿って所定の速度で回転しており、感光ドラム６９の表面が一様に帯電された後、露光装置７０で制御されたレーザ光の走査露光により感光ドラム６９の表面上に出力画像データに対応した静電潜像が形成され、静電潜像に対応したそれぞれの色のトナーが現像器７１から供給されトナー像が形成される。なお、現像器７１には、例えば、イエロー（Ｙ）、マゼンタ（Ｍ）、シアン（Ｃ）、ブラック（Ｋ）等の現像剤が導入されている。感光ドラム６９の表面上に形成されたトナー像は、給紙トレイ６５から給紙されて転写ドラム７２上に保持された専用紙６６へ静電力によって転写され、専用紙６６とともに定着器７３へ搬送されて定着器７３により専用紙６６上へ熱定着される。この場合、必要に応じて情報書換装置７８からの信号に基づいて磁気ヘッド７７により専用紙６６の情報を書き換えることができる。
【００３１】
原稿６３の画情報が熱定着されて印刷された専用紙６６は、排出トレイ７４へ排出される途上で情報検知装置６８に接続された励磁コイル７５と検知コイル７６のそれぞれが形成する空間内を移動し、その際に専用紙６６に形成された情報に対応付けされた１つ以上の磁性素子が励磁コイル７５から発せられる所定の交番磁界を受けて磁化され、磁化反転時に発する急峻な磁気パルスが検知コイル７６を介して検出され、検出結果に基づき専用紙６６の識別情報が情報検知装置６８により検出される。
【００３２】
情報検知装置６８によって検出された情報は、原稿読取り機６４へ出力され、原稿読取り機６４が情報検知装置６８で読み取られた専用紙６６の情報と、原稿読取り機６４で読み取られた原稿６３の画情報とを対応付けて図示しないデータベースへ記憶管理し、文書管理を行う。このように動作する複写機６０を用いることにより、原稿６３の画情報と画情報が印刷された専用紙６６の情報とを対応付けて文書管理することができる。また、文書管理された原稿を複写機６０で複写する際、複写機６０が原稿に付与された情報に基づき原稿が複写可または複写不可のいずれかを判別し、複写不可と判別した場合は、複写禁止動作を行うような構成とすることで、不用意な複写等による機密情報の漏洩を防止することが可能となる。
【００３３】
図７は、本発明に係る情報検知装置を組み込んだ画像形成装置（複写機）の他の例を示す図である。本例では、磁気ヘッドによる情報書き換えおよび情報検知はオートドキュメントフィーダー（ＡＤＦ）の用紙通過経路内で行われる。その他は図６の例と同様であるので、以下異なる点について説明する。図７に示すように、複写機８０は、ＡＤＦ８１を備える。ＡＤＦ８１の用紙通過経路内には、情報書換装置７８に接続された磁気ヘッド７７と、その下流には情報検知装置６８に接続された励磁コイル７５および検知コイル７６が配置されている。本例では、専用紙８２が複写原稿としてＡＤＦ８１を用いて移送され、必要に応じて磁気ヘッド７７により情報の書き換えが行われ、また原稿読取り機６４により画情報が読取られ、さらに励磁コイル７５および検知コイル７６により専用紙８２の情報が検出される。検出された情報は情報検知装置６８を介して原稿読取り機６４へ出力される。これにより原稿読取り機６４は複写可または複写不可のいずれかを判別し、複写可と判別した場合は用紙８３に専用紙８２の画情報を印刷し、複写不可と判別した場合は、印刷処理動作を禁止する制御を行う。これにより、不用意な複写等による機密情報の漏洩を防止することが可能となる。
【００３４】
このように、本発明では、例えば有価証券等の不正複写による偽造防止、機密情報や個人情報等の情報漏洩防止あるいは文書管理等のために、固有の情報を有する情報媒体を形成し、これを例えば印刷機や複写機等に適用する。情報を印刷または複写する用紙としては、用紙固有の情報が付与された専用紙が用いられ、専用紙の情報と、専用紙に印刷または複写された情報とを対応付けて管理することで、文書管理が可能な複写機または印刷機等として用いられる。また、管理された機密情報や有価証券等が本発明に係る情報検知装置が装備された複写機等で複写されようとした場合は、機密情報等が印刷された専用紙または有価証券等に付与された情報を情報検知装置が検出し、この検出した情報に基づき複写動作禁止等の制御を行うことで機密情報や有価証券等の不正複写を防止し情報漏洩防止、機密保持、偽造防止等を図ることができる。
【産業上の利用可能性】
【００３５】
本発明は磁性素子を有する情報媒体および情報検知装置に係り、特に１つ以上の磁性素子が所定方向に間隔をもって配置された情報媒体および情報検知装置に関するものであり、産業上の利用可能性がある。
【図面の簡単な説明】
【００３６】
【図１】本発明に係る情報媒体およびその情報を検知する情報検知装置の一例を示す概略構成図である。
【図２】本発明に係る情報媒体の一実施例を示す図で、（ａ）は情報媒体の平面図、（ｂ）は（ａ）の一部拡大図である。
【図３】本発明に係る情報媒体の他の実施例を示す図で、（ａ）は情報媒体の平面図、（ｂ）は（ａ）の一部拡大図である。
【図４】（ａ）〜（ｅ）は図３に示す実施例に係る情報媒体の情報書き換え方法の一例を示す図である。
【図５】（ａ）〜（ｄ）は磁性部材（スレッド）の作製方法の一例を示す図である。
【図６】本発明に係る情報検知装置を組み込んだ画像形成装置（複写機）の一例を示す図である。
【図７】本発明に係る情報検知装置を組み込んだ画像形成装置（複写機）の他の例を示す図である。
【符号の説明】
【００３７】
１  情報媒体
２  磁性部材
３  本体部材
４  情報検知装置
５  励磁コイル
６  検知コイル
１２  励磁回路
１３  検知回路
【図１】
2006091988.tif 000003
【図２】
2006091988.tif 000004
【図３】
2006091988.tif 000005
【図４】
2006091988.tif 000006
【図５】
2006091988.tif 000007
【図６】
2006091988.tif 000008
【図７】
2006091988.tif 000009